(57)【要約】【課題】操作を煩雑にすることなく、簡単な操作で死角となり易い車両の斜め後方視界を確認可能とし、走行安全性を格段と向上できるようにする。【解決手段】車体２に取付ステー１１を介して取り付けられ、車両の後方および側方視界の確認用ミラーを有するミラー本体１０の位置を操作期間に応じて調整する調整スイッチ１５は、操作期間が所定閾値未満であるワンタッチ操作の場合、ミラー本体１０の位置を走行位置Ｄまたは格納位置Ｐに調整すると共に、所定閾値以上である長押し操作の場合、ミラー本体１０の位置をその操作期間に応じて任意に設定可能な走行位置Ｄおよび格納位置Ｐの中間に位置する死角確認位置Ｋに調整するようにした。これにより、ミラー本体１０の位置を可変する操作を煩雑にすることなく、簡単な操作で死角となり易い車両の斜め後方視界を確認することができる。【選択図】図２
2015120388.tif 000002
【特許請求の範囲】
【請求項１】
車体に取付ステーを介して取り付けられ、車両の後方および側方視界の確認用ミラーを備えたミラー本体の位置が調整可能な電動格納式ミラー装置であって、
前記ミラー本体の位置を操作期間に応じて調整する調整スイッチを備え、
前記調整スイッチは、
前記操作期間が所定閾値未満である場合、前記ミラー本体の位置を走行用の第１位置または格納用の第２位置に調整すると共に、
前記操作期間が前記所定閾値以上である場合、前記ミラー本体の位置を前記操作期間に応じて設定可能な前記第１位置および前記第２位置の中間に位置する第３位置に調整することを特徴とする電動格納式ミラー装置。
【請求項２】
前記調整スイッチは、
前記ミラー本体の位置が前記第３位置であって、前記操作期間が前記所定閾値未満である場合、前記ミラー本体の位置を前記第１位置または前記第２位置に調整することを特徴とする請求項１に記載の電動格納式ミラー装置。
【発明の詳細な説明】
【技術分野】
【０００１】
本発明は、車両に搭載される電動格納式ミラー装置に関し、とりわけアウトサイドミラーに好適である。
【背景技術】
【０００２】
従来から、この種の電動格納式ミラー装置としては、車両後方や側方の視界確認用ミラーを有するミラー本体が、取付ステーを介して車体（例えば、車両前方のドア前端部やフロントピラーまたはその近傍）に取り付けられたアウトサイドミラーが知られている（例えば、特許文献１参照）。この取付ステーは、ミラー本体の位置を可変するモータユニットなどの可変手段を備えており、当該可変手段を介してミラー本体を支持することにより、車室内に配設されたスイッチによる操作に応じてミラー本体の向き（位置）を移動させることが可能となっている。
【０００３】
このとき、上述のスイッチ操作により、ミラー本体の向きが車両側方の外方に向けた走行位置に配置されることで走行時における車両後方や側方の視界を確認可能としている。また、上述のスイッチ操作により、ミラー本体の向きが車両側面に沿った平行または車両前方の格納位置に配置されることで、路地などの道幅の狭い道路の走行時における障害物や歩行者との干渉または接触と、駐車時における隣接する駐車スペースの駐車車両や通行人との干渉または接触とを回避可能としている。
【先行技術文献】
【特許文献】
【０００４】
【特許文献１】特開２０１３−１０７４２９号公報
【発明の概要】
【発明が解決しようとする課題】
【０００５】
ところで、高速道路のＳＡ（サービスエリア）やＰＡ（パーキングエリア）などにおいては、車両の駐車スペースを斜めに配置している場合がある。例えば、運転席が車両右側に配置されている所謂右ハンドル車では、進路に対して車両後方側が左斜め後ろとなるように駐車した場合、発進時に斜め後方（この場合、左斜め後方）の視界が死角となり易い。とりわけ、キャブオーバ型（トラックやバス等）の車両においては、その他のセダン型やクーペ型の乗用車に比べて後方視界が狭いため顕著である。従って、このような状況下において、進路を進行する他の車両や歩行者に対する視認性が低下する場合があった。
【０００６】
しかしながら、特許文献１の装置では、洗車時における洗浄の不十分を解消するために、ミラー面とこれに対向するドアガラス面等との遮蔽領域を減少させる退避姿勢に設定することを可能にしているものの、上述のような車両斜め後方の死角を解消するための発想はなかった。従って、特許文献１の技術では、上述の進路を進行する他の車両や歩行者などに対する十分な視認性を確保し難い場合があった。
【０００７】
また、かかるキャブオーバ型の車両においては、フロントピラーまたはその近傍に配置された取付ステーと一体のミラー本体における走行位置・格納位置の切替動作時に、これらを切り替える切替スイッチを所定閾値未満の操作期間による押圧操作（所謂、ワンタッチ操作）で実行可能なワンタッチタイプと、所定閾値以上の操作期間による押圧操作（すなわち、これら走行位置・格納位置を切り替える間中、押圧操作の継続が必要な長押し操作）で実行させる長押しタイプの２通りが主流となっている傾向がある。
【０００８】
前者の場合、走行位置と格納位置との間、すなわち上述した死角となり得る斜め後方の位置で停止させることはできないものの、後者の場合、かかる斜め後方の位置で停止させることが可能である。ところが、この場合、今度は当該斜め後方の位置から走行位置または格納位置へ移動させるために、再度、スイッチを長押し操作しなければならず、運転者に対し操作を煩わせる不都合があった。
【０００９】
そこで、本発明は上述した事情を鑑みてなされたもので、操作を煩雑にすることなく、簡単な操作で死角となり易い車両の斜め後方視界を確認可能とし、走行安全性を向上できるようにすることを目的とする。
【課題を解決するための手段】
【００１０】
本発明の一態様は、かかる目的を達成するもので、車体に取付ステーを介して取り付けられ、車両の後方および側方視界の確認用ミラーを備えたミラー本体の位置が調整可能な電動格納式ミラー装置であって、
前記ミラー本体の位置を操作期間に応じて調整する調整スイッチを備え、
前記調整スイッチは、
前記操作期間が所定閾値未満である場合、前記ミラー本体の位置を走行用の第１位置または格納用の第２位置に調整すると共に、
前記操作期間が前記所定閾値以上である場合、前記ミラー本体の位置を前記操作期間に応じて設定可能な前記第１位置および前記第２位置の中間に位置する第３位置に調整することを特徴とする。
【００１１】
かかる態様によれば、車体に取付ステーを介して取り付けられ、車両の後方および側方視界の確認用ミラーを備えたミラー本体の位置を操作期間に応じて調整する調整スイッチは、操作期間が所定閾値未満である場合、ミラー本体の位置を走行用の第１位置または格納用の第２位置に調整すると共に、その操作期間が所定閾値以上である場合、ミラー本体の位置を当該操作期間に応じて任意に設定可能な第１位置および第２位置の中間に位置する第３位置に調整するようにした。すなわち、この調整スイッチでは、操作期間が所定閾値未満となる所謂ワンタッチ操作がなされた場合、ミラー本体の位置を第１または第２位置に調整できると共に、操作期間が所定閾値以上となる所謂長押し操作がなされた場合、ミラー本体の位置を上記第３位置に調整できる。これにより、ミラー本体の位置を調整する操作を煩雑にすることなく、当該ミラー本体の位置を簡単な操作で運転者の所望する任意の第３位置に調整できるので、死角となり易い車両の斜め後方視界を確認することができる。従って、このような車両の斜め後方視界における死角を解消でき、走行安全性を向上できる。
【００１２】
また、実施形態において、
前記調整スイッチは、
前記ミラー本体の位置が前記第３位置であって、前記操作期間が前記所定閾値未満である場合、前記ミラー本体の位置を前記第１位置または前記第２位置に調整することを特徴とする。
【００１３】
このような構成によれば、調整スイッチは、ミラー本体の位置が第３位置であるときにワンタッチ操作がなされると、当該ミラー本体の位置を第１位置または第２位置に調整することができる。従って、従来のように、ミラー本体の位置を第３位置から第１または第２位置に調整する際に、当該調整している期間中、長押し操作を継続させるような煩わしい操作を回避して、より一段と操作を簡略化することができる。これにより、運転者に対する操作性を格段と向上できる。
【発明の効果】
【００１４】
本発明によれば、ミラー本体の位置を、操作を煩雑にすることなく、簡単な操作で死角となり易い車両の斜め後方視界を確認可能な位置へと調整できるので、当該斜め後方視界における死角を解消でき、走行安全性を格段と向上できる。
【図面の簡単な説明】
【００１５】
【図１】本発明の実施形態に係る電動格納式ミラー装置を概略的に示し、（ａ）はその走行位置の説明に供する前方斜視図、（ｂ）はその格納位置の説明に供する前方斜視図である。
【図２】図１の電動格納式ミラー装置における死角確認位置の説明に供する平面図である。
【図３】図１の電動格納式ミラー装置におけるスイッチを示す正面図である。
【図４】図１の電動格納式ミラー装置における動作の説明に供す概略図である。
【図５】図１の電動格納式ミラー装置を搭載した車両における駐車状態から発進する様子を示す平面図である。
【発明を実施するための形態】
【００１６】
以下、本発明に係る実施形態について図面を用いて詳細に説明する。なお、以下の実施形態に記載する構成部品の寸法，材質，形状，その相対配置などは特に特定的な記載がない限り、この発明の範囲をそれのみに限定する趣旨ではなく、単なる説明例にすぎない。
例えば、以下の実施形態では、本発明の電動格納式ミラー装置をキャブオーバ型の右ハンドル車における左前方のフロントピラーに取り付ける場合について説明するが、一例であってこれに限られず、当然に同型の左ハンドル車における右前方のフロントピラーに取り付ける場合にも適用できる。
【００１７】
図１および図２に示すように、本実施形態の電動格納式ミラー装置１は、例えばトラックやバス等のキャブオーバ型の車両に搭載されるもので、その車体２にミラー本体１０が取付ステー１１を介して取り付けられている。具体的に、かかる車両は右ハンドル車であり、電動格納式ミラー装置１は、車体２の左前方におけるフロントピラー３の上方に取付ステー１１を介して設置されている。
【００１８】
ミラー本体１０は、車体２の上下方向に延在した矩形状をなし、車両における後方および側方視界の確認用ミラー１２ａおよび当該ミラー１２ａを収納するミラーハウジング１３ａと、略円形状でその略中央が突出したドーム状に湾曲してなり、車体２における前部下方視界の確認用ミラー１２ｂおよび当該ミラー１２ｂを収納するミラーハウジング１３ｂと、を備えて構成されている。
【００１９】
本実施形態の場合、取付ステー１１は略コ字状をなし、上側端部および下側端部の間における所定部位（具体的には、フロントピラー３を介して配置されるフロントガラスＦＧや助手席側ドアガラスＳＧ越しに視認可能な位置）にミラー本体１０が配設されている。つまり、取付ステー１１は、当該ミラー本体１０を一体的に支持している。
【００２０】
また、取付ステー１１は、上側端部がフロントピラー３の上端側に取り付けられる略Ｖ字状の上部取付部１４ａと回動自在に接続されており、下側端部がフロントピラー３におけるフロントガラスＦＧの下端部近傍に取り付けられる下部取付部１４ｂと回動自在に接続されている。このとき、上部取付部１４ａ内には不図示の可動手段が配設されている。すなわち、取付ステー１１は、上部取付部１４ａと下部取付部１４ｂとの間に跨って配置されており、上部取付部１４ａ内に配設される可動手段を介し、上部取付部１４ａおよび下部取付部１４ｂを結ぶ車両２の上下方向を回転軸として回動自在に配設されている。
【００２１】
ここで、上部取付部１４ａ内に配設される可動手段は、不図示の駆動源であるモータや駆動伝達部材であるギヤなどからなるモータユニットを備えて構成されている。なお、かかる可動手段は、既存の一般的な電動格納式のアウトサイドミラー装置におけるミラーの可倒機構を適用可能であるため、ここでは詳細な説明は割愛するものとする。
そして、可動手段は、後述する調整スイッチ１５（図３参照）による操作に応じて、取付ステー１１の上側端部に対し、車体２の上下方向を回転中心とする動力を伝達する。これにより、取付ステー１１が上部取付部１４ａおよび下部取付部１４ｂを結ぶ車体２の上下方向を回転軸として回動され、当該取付ステー１１に支持されるミラー本体１０の位置を切替可能としている。すなわち、ミラー本体１０は、調整スイッチ１５による操作によって、その位置を走行用の第１位置である走行位置Ｄや格納用の第２位置である格納位置Ｐに調整できるようになっている（図２参照）。
【００２２】
図３に示すように、運転者による操作期間に応じてミラー本体１０の位置を調整する調整スイッチ１５は、ミラー本体１０の位置を、車両走行時における展開した状態であって後方および側方視界を確認可能とする走行位置Ｄ（図２参照）に設定するための走行位置設定用切替部１５ａと、駐車時における格納した状態である格納位置Ｐ（図２参照）に設定するための格納位置設定用切替部１５ｂと、を有している。また、本実施形態において、これら走行位置設定用切替部１５ａと、格納位置設定用切替部１５ｂとは、略中心部を基準として左右対称に配置され、それぞれ押圧操作されることで切替操作可能な一体型として構成されている。
なお、以下の説明においては、便宜上、走行位置設定用切替部１５ａを単に走行スイッチ部１５ａ、格納位置設定用切替部１５ｂを単に格納スイッチ部１５ｂと称するものとする。
【００２３】
そして、調整スイッチ１５は、走行スイッチ部１５ａまたは格納スイッチ部１５ｂに対する運転者の操作期間が所定閾値未満である場合（すなわち、これらスイッチ部１５ａ，１５ｂに対して所謂ワンタッチ操作がなされた場合）、ミラー本体１０の位置を走行位置Ｄまたは格納位置Ｐに調整するように、可動手段の動作を設定する。また、調整スイッチ１５は、走行スイッチ部１５ａまたは格納スイッチ部１５ｂに対する操作期間が所定閾値以上である場合（すなわち、これらスイッチ部１５ａ，１５ｂに対して所謂長押し操作がなされた場合）、ミラー本体１０の位置を当該長押し操作の操作期間に応じた第３位置に調整するように、可動手段の動作を設定する。ここで、第３位置とは、走行位置Ｄおよび格納位置Ｐの中間に位置し、車両における斜め後方の死角となり易い視界を確認可能な死角確認位置Ｋ（図２参照）であり、上記長押し操作の操作期間に応じて任意に設定可能となっている。
【００２４】
ここで、かかる取付ステー１１を回動させる動作（すなわち、ミラー本体１０の位置の調整）について、図４を参照しながら説明する。なお、図４においては、走行スイッチ部１５ａのワンタッチ操作を「走行ＳＷ一回押し」、同長押し操作を「走行ＳＷ長押し」、格納スイッチ部１５ｂのワンタッチ操作を「格納ＳＷ一回押し」、同長押し操作を「格納ＳＷ長押し」と表記するものとする。
【００２５】
図４に示すように、ミラー本体１０が格納位置Ｐに位置する場合において、走行スイッチ部１５ａを長押し操作すると、この長押し操作する操作期間に応じて取付ステー１１が回動することで、ミラー本体１０の位置が移動する。そして、走行スイッチ部１５ａの長押し操作を解除した時点で取付ステー１１が回動を停止し、ミラー本体１０の移動も停止する。
すなわち、運転者はミラー本体１０の位置を移動させたい所望の位置まで走行スイッチ部１５ａを長押し操作することで、当該ミラー本体１０の位置を運転者にとって最適な死角確認位置Ｋに設定することが可能となっている。
【００２６】
さらに、ミラー本体１０が運転者によって設定された当該死角確認位置Ｋに位置する場合において、走行スイッチ部１５ａをワンタッチ操作すると、取付ステー１１が回動することで、ミラー本体１０の位置が走行位置Ｄへと移動する。
つまり、運転者はミラー本体１０の位置を所望する死角確認位置Ｋへ調整した後、走行スイッチ部１５ａをワンタッチ操作するだけで、ミラー本体１０の位置を走行位置Ｄに調整することができる。
【００２７】
また、ミラー本体１０が格納位置Ｐに位置する場合において、走行スイッチ部１５ａを長押し操作して、ミラー本体１０の位置を死角確認位置Ｋに設定したものの、当該設定した死角確認位置Ｋが格納位置Ｐ寄りであるため、運転者にとって最適なポジションではなかった場合、再度、走行スイッチ部１５ａを長押し操作することで、再びミラー本体１０の位置を所望する死角確認位置Ｋに設定可能となっている。この後、走行スイッチ部１５ａをワンタッチ操作すると、取付ステー１１が回動することで、ミラー本体１０の位置が走行位置Ｄへと移動する。
【００２８】
さらに、ミラー本体１０が格納位置Ｐに位置する場合において、走行スイッチ部１５ａを長押し操作して、ミラー本体１０の位置を死角確認位置Ｋに設定したものの、当該設定した死角確認位置Ｋが走行位置Ｄ寄り（行き過ぎ）であるため、運転者にとって最適なポジションではなかった場合、今度は、格納スイッチ部１５ｂを長押し操作することで、取付ステー１１を格納位置Ｐ側へ回動させ、再びミラー本体１０の位置を所望する死角確認位置Ｋに設定可能となっている。この後、走行スイッチ部１５ａをワンタッチ操作すると、取付ステー１１が回動することで、ミラー本体１０の位置が走行位置Ｄへと移動する。なお、ここでは図示省略するが、格納スイッチ部１５ｂの長押し操作によって死角確認位置Ｋを設定した後、格納スイッチ部１５ｂをワンタッチ操作すると、取付ステー１１が回動することで、ミラー本体１０の位置が格納位置Ｐへと移動する。
【００２９】
また、ミラー本体１０が格納位置Ｐに位置する場合において、走行スイッチ部１５ａをワンタッチ操作すると、取付ステー１１が回動することで、ミラー本体１０の位置が走行位置Ｄへと移動する。同様に、ミラー本体１０が走行位置Ｄに位置する場合において、格納スイッチ部１５ｂをワンタッチ操作すると、取付ステー１１が回動することで、ミラー本体１０の位置が格納位置Ｐへと移動する。
【００３０】
このように、本実施形態の電動格納式ミラー装置１では、運転者がミラー本体１０の現在位置に応じて、走行スイッチ部１５ａまたは格納スイッチ１５ｂを長押し操作すれば、ミラー本体１０の位置を、格納位置Ｐおよび走行位置Ｄの間に位置する、車両の斜め後方視界を確認可能な死角確認位置Ｋへと移動させることができる。このとき、ミラー本体１０の位置の調整操作は、ミラー本体１０の現在位置に応じた走行スイッチ部１５ａまたは格納スイッチ１５ｂの長押し操作のみで実行できるので、運転者による操作を煩雑にすることはない。さらに、当該死角確認位置Ｋから走行スイッチ部１５ａまたは格納スイッチ部１５ｂをワンタッチ操作するだけで、ミラー本体１０の位置を走行位置Ｄに復帰させたり、格納位置Ｐに移動させたりすることができるので、より操作を簡略化できる
【００３１】
従って、例えば図５に示すように、高速道路のＳＡ（サービスエリア）やＰＡ（パーキングエリア）などにおいて、車両の駐車スペースＳＰが斜めに配置されており、運転席が車両右側に配置されている所謂右ハンドル車である車両が進路５に対して車両の後方側が左斜め後ろとなるように駐車した場合、運転者４は車両の発進時に図中破線の矢印で示す斜め後方（この場合、左斜め後方）の視界が死角となり易い。とりわけ、キャブオーバ型（トラックやバス等）の車両においては、不図示のセダン型やクーペ型などの乗用車に比べて後方視界が狭くなっている。そこで、本実施形態の電動格納式ミラー装置１では、このような状況下において、ミラー本体１０の位置を運転者４の所望する任意の死角確認位置Ｋに設定できるため、当該死角となり易い車両の斜め後方視界を確認できる。従って、進路５を進行する他の車両６や歩行者（図示省略）に対する視認性が著しく低下するのを回避でき、走行安全性を確保することができる。
【００３２】
しかも、ミラー本体１０の位置が、死角確認位置Ｋである場合、走行スイッチ部１５ａまたは格納スイッチ部１５ｂに対するワンタッチ操作のみで、ミラー本体１０の位置を走行位置Ｄへ復帰させたり、格納位置Ｐへ移動させたりすることができるので、煩わしい操作を回避して、より一段と操作を簡略化することができるばかりか、操作における利便性を付加することが可能となっている。これにより、運転者に対する操作性を格段と向上できる。
【００３３】
以上、説明したように、本実施形態の電動格納式ミラー装置１によれば、車体２に取付ステー１１を介して取り付けられ、車両の後方および側方視界の確認用ミラー１２ａを備えたミラー本体１０の位置を操作期間に応じて調整する調整スイッチ１５は、操作期間が所定閾値未満である場合、ミラー本体１０の位置を走行位置または格納位置に調整すると共に、その操作期間が所定閾値以上である場合、ミラー本体１０の位置を当該操作期間に応じて任意に設定可能な走行位置Ｄおよび格納位置Ｐの中間に位置する死角確認位置Ｋに調整するようにした。すなわち、この調整スイッチ１５では、操作期間が所定閾値未満となるワンタッチ操作がなされた場合、ミラー本体１０の位置を走行位置Ｄまたは格納位置Ｐに調整できると共に、操作期間が所定閾値以上となる長押し操作がなされた場合、ミラー本体１０の位置を死角確認位置Ｋに調整できる。これにより、ミラー本体１０の位置を調整する操作を煩雑にすることなく、当該ミラー本体１０の位置を簡単な操作で運転者の所望する任意の死角確認位置Ｋに調整できるので、死角となり易い車両の斜め後方視界を確認することができる。従って、このような車両の斜め後方視界における死角を解消でき、走行安全性を格段と向上できる。
【００３４】
このとき、調整スイッチ１５は、ミラー本体１０の位置が死角確認位置Ｋであるときにワンタッチ操作がなされると、当該ミラー本体１０の位置を走行位置Ｄまたは格納位置Ｐに調整することができる。従って、従来のように、ミラー本体１０の位置を死角確認位置Ｋから走行位置Ｄまたは格納位置Ｐに調整する際に、当該調整している期間中、長押し操作を継続させるような煩わしい操作を回避して、より一段と操作を簡略化することができる。これにより、運転者に対する操作性を格段と向上できる。
【００３５】
なお、上述した実施形態においては、本発明の電動格納式ミラー装置１を搭載する車両として、トラックやバス等のキャブオーバ型の車両を適用する場合について述べたが、本発明はこれに限らず、電動格納式ミラー装置１を搭載する車両としては、この他、ワンボックス型の乗用車など、車両斜め後方の視界が狭い車両に広く適用することができる。
【００３６】
また、上述した実施形態においては、ミラー本体１０の位置を調整するための調整スイッチ１５を、走行スイッチ部１５ａと、格納スイッチ部１５ｂとが、それぞれ左右に押圧操作することで切替可能な一体型として構成されている場合について述べたが、本発明はこれに限らず、例えば、これら走行スイッチ部１５ａと、格納スイッチ部１５ｂとが別体で形成されたスイッチや、その他、種々の態様のスイッチに広く適用することができる。
【産業上の利用可能性】
【００３７】
本発明によれば、操作性を煩雑にすることなく、簡単な操作で死角となる車両の斜め後方視界を確認することができ、走行安全性を格段と向上できるので、各種自動車などの車両に搭載される電動格納式ミラー装置への利用に適している。
【符号の説明】
【００３８】
１  電動格納式ミラー装置
２  車体
３  フロントピラー
４  運転者
５  進路
６  他の車両
１０  ミラー本体
１１  取付ステー
１２ａ、１２ｂ  ミラー
１３ａ、１３ｂ  ミラーハウジング
１４ａ  上部取付部
１４ｂ  下部取付部
１５  調整スイッチ
１５ａ  走行スイッチ部（走行位置設定用切替部）
１５ｂ  格納スイッチ部（格納位置設定用切替部）
Ｄ  走行位置
Ｐ  格納位置
Ｋ  死角確認位置
ＦＧ  フロントガラス
ＳＧ  助手席側ドアガラス
ＳＰ  駐車スペース
【図１】
2015120388.tif 000003
【図２】
2015120388.tif 000004
【図３】
2015120388.tif 000005
【図４】
2015120388.tif 000006
【図５】
2015120388.tif 000007